(57)【特許請求の範囲】
【請求項１】
ユーザに携行される携帯端末と、
車両に搭載され、所定の設定操作を行うための複数のスイッチを備える車載機器とを含み、
前記携帯端末と前記車載機器との間で双方向通信を行うことが可能な車載機器操作システムであって、
前記車載機器と通信網を介して接続されるサーバ装置をさらに含み、
前記携帯端末は、
表示部と操作部とが一体化されたタッチパネルを備え、
前記サーバ装置は、
複数種類の前記車載機器の各設定処理を、処理内容が同一の設定処理同士については、前記タッチパネルにおける同一のボタン表示に対応付ける一方、処理内容が異なる設定処理同士については、前記タッチパネルにおける別々のボタン表示にそれぞれ対応付け、前記車載機器の各設定処理の内容を端的に表す表示とそれぞれ一体となった複数のボタン表示を前記携帯端末のタッチパネルに行わせるとともに、前記タッチパネルにおけるボタン表示に対する操作状態に前記車載機器の設定処理を連動させる前記車載機器用と前記携帯端末用との各アプリケーションプログラムを予め格納している記憶部を備え、
前記車載機器は、
前記サーバ装置から前記各アプリケーションプログラムを取得する車載側アプリケーション取得部と、
前記車載側アプリケーション取得部で取得した前記携帯端末用のアプリケーションプログラムを前記携帯端末に送信する車載側アプリケーション送信部とを備え、
前記携帯端末及び前記携帯端末と通信が確立中の前記車載機器は、前記各アプリケーションプログラムに従い、前記携帯端末の前記タッチパネルにおけるボタン表示に対する操作に応じて前記車載機器の設定処理を行うことを特徴とする車載機器操作システム。
【請求項２】
ユーザに携行される携帯端末と、
車両に搭載され、所定の設定操作を行うための複数のスイッチを備える車載機器とを含み、
前記携帯端末と前記車載機器との間で双方向通信を行うことが可能な車載機器操作システムであって、
前記携帯端末と通信網を介して接続されるサーバ装置をさらに含み、
前記携帯端末は、
表示部と操作部とが一体化されたタッチパネルを備え、
前記サーバ装置は、
複数種類の前記車載機器の各設定処理を、処理内容が同一の設定処理同士については、前記タッチパネルにおける同一のボタン表示に対応付ける一方、処理内容が異なる設定処理同士については、前記タッチパネルにおける別々のボタン表示にそれぞれ対応付け、前記車載機器の各設定処理の内容を端的に表す表示とそれぞれ一体となった複数のボタン表示を前記携帯端末のタッチパネルに行わせるとともに、前記タッチパネルにおけるボタン表示に対する操作状態に前記車載機器の設定処理を連動させる前記車載機器用と前記携帯端末用との各アプリケーションプログラムを予め格納している記憶部を備え、
前記携帯端末は、
前記サーバ装置から前記各アプリケーションプログラムを取得する携帯側アプリケーション取得部と、
前記携帯側アプリケーション取得部で取得した前記携帯端末用のアプリケーションプログラムを前記車載機器に送信する携帯側アプリケーション送信部とをさらに備え、
前記携帯端末及び前記携帯端末と通信が確立中の前記車載機器は、前記各アプリケーションプログラムに従い、前記携帯端末の前記タッチパネルにおけるボタン表示に対する操作に応じて前記車載機器の設定処理を行うことを特徴とする車載機器操作システム。
【請求項３】
請求項１又は２において、
前記携帯端末と通信が確立中の前記車載機器に存在しない設定処理に対応する前記タッチパネルのボタン表示については、前記設定処理の内容を端的に表す表示を見にくくするマスク及び当該表示を隠すマスクのうちのいずれかのマスクを行うことを特徴とする車載機器操作システム。
【発明の詳細な説明】
【技術分野】
【０００１】
本発明は、車両に搭載された車載機器の操作を行う車載機器操作システムに関するものである。
【背景技術】
【０００２】
車載ナビゲーション装置には、車載ナビゲーション装置の各種機能の操作指示を行うための複数のスイッチが設けられていることが従来から知られている。例えば、車載ナビゲーション装置の種類によっては、ディスプレイと一体になったタッチスイッチを用いるものや本体に設けられたメカニカルなスイッチを用いるものなどが知られている。
【０００３】
ただし、車載ナビゲーション装置に設けられるスイッチは、車載ナビゲーション装置の種類によって、すなわち、メーカーや品番が異なるとスイッチの種類自体が異なる他にも、各スイッチの配置が異なったり、各スイッチで操作指示を行うことができる機能の種類が異なったりする。なお、これは車載ナビゲーション装置以外のカーエアコン、自動車用メータ、カーオーディオ等の車載機器のスイッチについても同様である。
【０００４】
また、近年では、車載機器の操作を携帯端末によって行う技術が提案されている。例えば、特許文献１には、１台の携帯電話によってドライビングポジション調整装置、エアコン制御アンプ、オーディオユニットの設定操作を行う車両用情報通信装置が開示されている。
【０００５】
さらに、特許文献２には、携帯電話のテンキーとナビゲーションが実行する処理内容との関係を示す操作ガイド画面をナビゲーション本体から携帯電話に送信し、その操作ガイド画面を携帯電話において表示するとともに、携帯電話のテンキーの操作状態を示す操作ボタン情報を携帯電話からナビゲーション本体に送信し、その操作ボタン情報に基づいて判断した処理内容をナビゲーション本体において実行する技術が開示されている。
【０００６】
また、特許文献３には、携帯端末からの操作によって、携帯端末とカーナビゲーションシステムとの無線通信を行って、カーナビゲーションシステムの表示部に表示される情報と同一の情報を携帯端末が取得し、その情報を携帯端末の表示部に表示する技術が開示されている。
【０００７】
さらに、特許文献４には、携帯電話から入力した音声信号に含まれる識別信号に対応した盗難防止ユニットやエアコンユニットやエンジンコントロールユニット等の車載ユニットの駆動と停止とを切り替える制御を行う技術が開示されている。
【先行技術文献】
【特許文献】
【０００８】
【特許文献１】特開２００５−１７０３３８号公報
【特許文献２】特開２００５−２６５５７２号公報
【特許文献３】特開２００４−２８９０９号公報
【特許文献４】特開平１０−３２２２６５号公報
【発明の概要】
【発明が解決しようとする課題】
【０００９】
前述したように、同じ製品種に属する車載機器であっても、メーカー等の違いによりスイッチの種類や配置や操作指示を行うことができる機能の種類が異なっている。そのため、例えば、ユーザが普段使用している車載機器とは異なるメーカー製の車載機器を操作する場合には、改めてその車載機器の操作方法を覚えなければならない。従って、ユーザが自家用車以外の車両に乗る場合など、普段使用している車載機器とは異なる車載機器が搭載されている場合には、その操作方法が分からなかったり、操作に手間取ったりするという問題点が生じる。
【００１０】
また、今後はレンタカーの他にもカーシェアリングなど、頻繁に違う車両に乗る機会が増加すると考えられることから、この問題点は特に顕著になるものと考えられる。
【００１１】
これに対して、特許文献１には、車載機器の設定操作と携帯電話の操作部の操作とをどのように対応付けるかについての具体的な記載がなく、異なる車載機器ごとの設定操作を１台の携帯電話の操作部の操作によってどのように実現するのかが不明なため、上記問題点を解決することはできない。
【００１２】
また、特許文献４に開示の技術でも、車載ユニットの設定操作と携帯電話機の操作とをどのように対応付けるかについての具体的な記載がなく、異なる車載ユニットごとの設定操作を１台の携帯電話の操作によってどのように実現するのかが不明なため、上記問題点を解決することはできない。
【００１３】
さらに、特許文献２に開示の技術では、携帯電話のメカニカルなスイッチであるテンキーの１〜９の操作ボタンに、ナビゲーションが実行する処理内容を割り振るものの、携帯電話のテンキーの各操作ボタンとナビゲーションが実行する処理内容との対応関係については、操作ガイド画面を見て覚えなければならない。さらに、機能等が異なる複数のナビゲーション装置に対して、どのように対応するかに関してはなんら記載されていない。
【００１４】
また、特許文献３に開示の技術では、カーナビゲーションシステムの表示部に表示される操作画面が携帯端末に表示されるだけなので、カーナビゲーションシステムの種類が変われば、表示される操作画面もそのカーナビゲーションシステムの操作画面と同様のものになるだけである。よって、カーナビゲーションシステムの種類ごとに操作方法を覚えなければならず、上記問題点を解決できない。
【００１５】
本発明は、上記従来の問題点に鑑みなされたものであって、その目的は、同一製品種に属する複数の車載機器の種類ごとの操作方法を覚えなくても、それぞれの車載機器を容易に設定操作できるようにする車載機器操作システムを提供することにある。
【課題を解決するための手段】
【００１６】
請求項１の車載機器操作システムによれば、ユーザが異なる車両に乗り換える場合であっても、その車両に搭載される車載機器の各設定操作の処理内容を端的に表す表示とそれぞれ一体となった複数のボタン表示が、携行している携帯端末のタッチパネルに表示されることになる。そして、ボタン表示に対する操作状態に車載機器の設定操作を連動させるので、ユーザは、上記設定操作の処理内容を端的に表す表示を頼りにボタン表示を操作するだけで、そのボタン表示に対応する当該車載機器の設定操作を行うことができる。
【００１７】
このように、携帯端末のタッチパネルにおけるボタン表示と一体となった、車載機器の各設定操作の処理内容を端的に表す表示を頼りに、ユーザが携帯端末のタッチパネルにおけるボタン表示を操作するだけで、当該車載機器の目的とする設定操作を行うことが可能になる。従って、ユーザが当該車載機器の操作方法を覚えていない場合であっても、当該車載機器を容易に設定操作することが可能となる。
【００１８】
また、請求項２の車載機器操作システムによっても、請求項１の場合と同様に、車載機器の各設定操作の処理内容を端的に表す表示とそれぞれ一体となった複数のボタン表示が、携行している携帯端末のタッチパネルに表示され、ボタン表示に対する操作状態に車載機器の設定操作を連動させることになるので、ユーザが当該車載機器の操作方法を覚えていない場合であっても、当該車載機器を容易に設定操作することが可能となる。
【００１９】
また、請求項１、２の構成によれば、複数種類の車載機器の各設定操作を、処理内容が同一の設定操作同士については、タッチパネルにおける同一のボタン表示に対応付ける一方、処理内容が異なる設定操作同士については、タッチパネルにおける別々のボタン表示にそれぞれ対応付けるので、対象とする車載機器が変わるごとにアプリケーションプログラムを取得する必要がなくなる。よって、アプリケーションプログラムを取得するのにかかる通信のコストを抑えることができる。また、車載機器が変わるごとにアプリケーションプログラムを取得する時間をとられることがなくなるので、より利便性が向上する。
【００２０】
また、請求項１、２のようにする場合には、請求項３のように、携帯端末と通信が確立中の車載機器に存在しない設定操作に対応するタッチパネルのボタン表示については、設定操作の処理内容を端的に表す表示を見にくくするマスク及び当該表示を隠すマスクのうちのいずれかのマスクを行うことが好ましい。これによれば、対象とする車載機器で行うことができない設定操作が一目でわかるので、より利便性が向上する。
【図面の簡単な説明】
【００２１】
【図１】車載機器操作システム１００の概略的な構成を示すブロック図である。
【図２】ナビゲーション装置３の概略的な構成を示すブロック図である。
【図３】サーバ装置５の概略的な構成を示すブロック図である。
【図４】携帯電話機１の概略的な構成を示すブロック図である。
【図５】車載機器操作システム１００における携帯電話機１とナビゲーション装置３とサーバ装置５との間でのデータの流れの一例を示すシーケンス図である。
【図６】（ａ）は、ナビ側表示部４０でのボタン表示の一例を示す図であって、（ｂ）は、タッチパネル部１３でのボタン表示の一例を示す図である。
【図７】（ａ）は、ナビ側表示部４０でのボタン表示の一例を示す図であって、（ｂ）は、タッチパネル部１３でのボタン表示の一例を示す図である。
【図８】（ａ）は、ナビ側表示部４０でのボタン表示の一例を示す図であって、（ｂ）は、タッチパネル部１３でのボタン表示の一例を示す図である。
【図９】タッチパネル部１３でのボタン表示の一例を示す図である。
【図１０】車載機器操作システム２００の概略的な構成を示すブロック図である。
【図１１】携帯電話機１ａの概略的な構成を示すブロック図である。
【発明を実施するための形態】
【００２２】
以下、本発明の実施形態について図面を用いて説明する。図１は、本発明が適用された車載機器操作システム１００の概略的な構成を示すブロック図である。図１に示す車載機器操作システム１００は、携帯電話機１、オーディオ機器２、ナビゲーション装置３、及びサーバ装置５を含んでいる。
【００２３】
オーディオ機器２は、ＣＤやＨＤＤ等の記録媒体に記憶されている楽曲データを再生するデッキやラジオ放送を受信するラジオチューナー等を備えている。また、オーディオ機器２は、ナビゲーション装置３の後述するナビ側制御部４５を介して、後述するナビ側音声出力部４１にオーディオ音声信号を出力することによってオーディオ音声を出力させる所謂ナビ一体型のオーディオである。
【００２４】
詳しくは、オーディオ機器２は、ナビゲーション装置３においてＡＭラジオ、ＦＭラジオ、ＣＤ、メモリースティック等のオーディオソースのうちのいずれかを選択する操作入力を受け付けた場合に、この操作入力に従った信号を受け、この操作入力に従ったオーディオソースからナビ側制御部４５を介してナビ側音声出力部４１にオーディオ音声信号を出力することによってオーディオ音声を出力させるものである。なお、オーディオ機器２が請求項の車載機器に相当する。
【００２５】
ナビゲーション装置３は、自動車等の車両に搭載される車載ナビゲーション装置である。なお、ナビゲーション装置３も、請求項の車載機器に相当する。ナビゲーション装置３は、一般的なナビゲーション装置と同様の経路案内を行うナビゲーション機能を有している他に、例えば、携帯電話機１との間でＢｌｕｅｔｏｏｔｈ（登録商標）通信を行う機能を有している。なお、ナビゲーション装置３を搭載している車両を以降では、自車両と呼ぶものとする。
【００２６】
ここで、図２を用いてナビゲーション装置３の概略的な構成について説明を行う。図２は、ナビゲーション装置３の概略的な構成を示すブロック図である。図２に示すようにナビゲーション装置３は、位置検出器３１、地図データ入力器３６、ナビ側操作スイッチ群３７、リモコン３８、リモコンセンサ３９、ナビ側表示部４０、ナビ側音声出力部４１、外部メモリ４２、ナビ側Ｂｌｕｅｔｏｏｔｈ通信部（以下、ナビ側ＢＴ通信部）４３、ナビ側サーバ通信部４４、及びナビ側制御部４５を備えている。
【００２７】
位置検出器３１は、自車両の加速度を検出する加速度センサ３２、自車両の鉛直方向周りの角速度を検出するジャイロスコープ３３、各転動輪の回転速度から自車両の速度を検出する車輪速センサ３４、及び人工衛星からの電波に基づいて自車両の現在位置を検出するＧＰＳ（Global Positioning System）のためのＧＰＳ受信機３５を有している。これらのセンサ等３２〜３５は、各々が性質の異なる誤差を持っているため、複数のセンサにより各々補完しながら使用するように構成されている。なお、精度によっては上述した内の一部で構成してもよく、さらにステアリングの回転センサ等を用いてもよい。
【００２８】
地図データ入力器３６は、記憶媒体（図示せず）が装着され、その記憶媒体に格納されている位置検出の精度向上のためのいわゆるマップマッチング用データ、地図データ、及び目印データを含む各種データを入力するための装置である。
【００２９】
また、上記記憶媒体には、各種施設の種類、名称、住所のデータなども記憶されており、それらのデータは経路探索の際の目的地設定などに用いられる。なお、上記記憶媒体としては、ＣＤ−ＲＯＭまたはＤＶＤ−ＲＯＭ、メモリカード、ＨＤＤ等が用いられる。
【００３０】
ナビ側操作スイッチ群３７は、例えばナビ側表示部４０と一体になったタッチスイッチもしくはメカニカルなスイッチ等が用いられ、スイッチ操作によりナビ側制御部４５へ各種機能の操作指示を行う。スイッチの一例としては、ナビ側表示部４０の画面の明るさや色の濃さの調整を行うためのモード（以下、設定モード）に切り替えるスイッチである「設定」スイッチや燃費情報等の車両情報を表示させるためのモード（以下、車両情報モード）に切り替えるスイッチである「車両情報」スイッチがある。なお、車両情報スイッチによって表示させる情報としては、燃費情報の他にもタイヤ空気圧の情報や自車両に取り付けられた周辺監視用のカメラの映像等がある。
【００３１】
さらに、スイッチとしては、ナビゲーション機能としての各種機能の操作指示を行うモード（以下、ＮＡＶＩモード）に切り替えるためのスイッチである「ＮＡＶＩ」スイッチやナビゲーション機能としての各種機能（例えば、地図縮尺変更、メニュー表示選択、目的地設定、経路探索、再探索、地点登録、表示画面変更、表示中止、音量調整等）の操作指示を行うスイッチがある。また、スイッチとしては、オーディオ機能としての各種機能の操作指示を行うモード（以下、ＡＵＤＩＯモード）に切り替えるためのスイッチである「ＡＵＤＩＯ」スイッチやオーディオ機能としての各種機能（例えば、オーディオソース選択、ラジオ局選択、選曲、演奏開始、演奏中断、曲送り、曲戻し、演奏順序設定、音量調整、音質調整等）の操作指示を行うスイッチがある。
【００３２】
リモコン３８には複数の操作スイッチ（図示せず）が設けられ、スイッチ操作によりリモコンセンサ３９を介して各種指令信号をナビ側制御部４５に入力することにより、ナビ側操作スイッチ群３７と同じ機能をナビ側制御部４５に対して実行させることが可能である。
【００３３】
ナビ側表示部４０は、自車両の走行を案内するための地図、目的地選択画面やオーディオソースの選択画面、オーディオの操作画面等を表示する。ナビ側表示部４０は、例えばフルカラー表示が可能なものであり、液晶ディスプレイ、有機ＥＬディスプレイ、プラズマディスプレイ等を用いて構成することができる。また、ナビ側音声出力部４１は、スピーカ等から構成され、ナビ側制御部４５の指示に基づいて、経路案内時の案内音声などを出力する。
【００３４】
外部メモリ４２は、ＨＤＤ等の書き込み可能な大容量記憶装置である。外部メモリ４２には大量のデータや電源をＯＦＦしても消去してはいけないデータを記憶したり、頻繁に使用するデータを地図データ入力器３６からコピーして利用したりする等の用途がある。なお、外部メモリ４２は、リムーバブルなメモリであってもよい。
【００３５】
ナビ側ＢＴ通信部４３は、Ｂｌｕｅｔｏｏｔｈ通信専用のアンテナ（以下、ＢＴアンテナ）を有しており、このＢＴアンテナを介して携帯電話機１に対し２．４ＧＨｚ帯の電波にて信号を送信するとともに、２．４ＧＨｚ帯の電波にて携帯電話機１から送信されてくる信号を、ＢＴアンテナを介して受信する。また、ナビ側ＢＴ通信部４３は、ナビ側制御部４５に接続されており、ＢＴアンテナにて携帯電話機１から受信した信号をナビ側制御部４５に出力する。
【００３６】
また、ナビ側ＢＴ通信部４３から送信される信号の通信エリアは、例えば車室内に限られており、ナビゲーション装置３と携帯電話機１との間でのＢＴ通信は車室内に限定して行うことができる構成とすればよい。
【００３７】
ナビ側サーバ通信部４４は、携帯電話網やインターネット等の通信網を介してサーバ装置５と通信を行う。詳しくは、ナビ側サーバ通信部４４は、サーバ装置５に後述するデータダウンロード要求と携帯種別ＩＤ及びナビ種別ＩＤとの送信を行い、携帯種別ＩＤ及びナビ種別ＩＤに応じた後述する携帯用アプリ及びナビ用アプリを受信（つまり、ダウンロード）して、ナビ側制御部４５に入力する。
【００３８】
また、ナビ側サーバ通信部４４は、無線通信を介して携帯電話網やインターネット等の通信網に接続するものとする。よって、例えばナビ側サーバ通信部４４は、通信モジュールを介してネットワークに接続する構成としてもよい。ここで言うところの通信モジュールとしては、例えば車両に搭載されるＤＣＭ（data communication module）等のテレマティクス通信に用いられる車載通信モジュール等がある。
【００３９】
ナビ側制御部４５は、通常のコンピュータとして構成されており、内部には周知のＣＰＵ、ＲＯＭ、ＲＡＭ、Ｉ／Ｏ及びこれらの構成を接続するバスライン（いずれも図示せず）が備えられている。ナビ側制御部４５は、位置検出器３１、地図データ入力器３６、ナビ側操作スイッチ群３７、リモコンセンサ３９、外部メモリ４２、ナビ側ＢＴ通信部４３、ナビ側サーバ通信部４４から入力された各種情報に基づき、前述のモードを選択する処理を行ったりする。
【００４０】
他にも、ナビゲーション機能としての処理（例えば、地図縮尺変更処理、メニュー表示選択処理、目的地設定処理、経路探索処理、再探索処理、地点登録処理、表示画面変更処理、表示中止処理、音量調整処理等）やオーディオ機能としての処理（例えば、オーディオソース選択処理、ラジオ局選択処理、選曲処理、演奏開始処理、演奏中断処理、曲送り処理、曲戻し処理、演奏順序設定処理、音量調整処理、音質調整処理等）や携帯電話機１との間でのＢｌｕｅｔｏｏｔｈ通信を行う処理やサーバ装置５からダウンロードを行う処理等を実行する。
【００４１】
例えば、ナビ側制御部４５は、携帯電話機１とナビ側ＢＴ通信部４３を介してＢｌｕｅｔｏｏｔｈ通信を行うことができるように、ペアリング処理を行う。なお、ペアリング処理の詳細については後述する。
【００４２】
また、ナビ側制御部４５は、ペアリング中の携帯電話機１からナビ側ＢＴ通信部４３を介して携帯電話機１の種別（例えばメーカーや機種）を特定するための情報（以下、携帯種別ＩＤ）を取得するとともに、例えばナビ側制御部４５のＲＯＭ等のメモリに格納されているナビゲーション装置３の種別（例えばメーカーや機種）を特定するための情報（以下、ナビ種別ＩＤ）を読み出し、ナビ側サーバ通信部４４からサーバ装置５に送信させる。
【００４３】
さらに、ナビ側制御部４５は、携帯用アプリ及びナビ用アプリがナビ側サーバ通信部４４から入力されたときに、携帯電話機１とナビゲーション装置３とがペアリング中であった場合は、その携帯用アプリ及びナビ用アプリのうちの携帯用アプリをナビ側ＢＴ通信部４３に送り、携帯電話機１に送信させる。また、ナビ側制御部４５は、ナビ側サーバ通信部４４を介してサーバ装置５から入力されたナビ用アプリに従った制御を実行する。
【００４４】
図１に戻って、サーバ装置５は、携帯電話機１の後述するタッチパネル部１３における複数のボタン表示に対する操作状態にナビゲーション装置３の各設定処理を連動させる携帯電話機１用のアプリケーションプログラム（以下、携帯用アプリ）とナビゲーション装置３用のアプリケーションプログラム（以下、ナビ用アプリ）とを保持しているサーバである。なお、サーバ装置５は、１つのサーバからなるものであってもよいし、複数のサーバからなっているものであってもよい。
【００４５】
ここで、図３を用いてサーバ装置５の概略的な構成について説明を行う。図３は、サーバ装置５の概略的な構成を示すブロック図である。図３に示すようにサーバ装置５は、サーバ側通信部５１、アプリ格納部５２、及びサーバ側制御部５３を備えている。
【００４６】
サーバ側通信部５１は、携帯電話網やインターネット等の通信網を介してナビゲーション装置３と通信を行う。詳しくは、サーバ側通信部５１は、ナビゲーション装置３から送信される携帯用アプリ及びナビ用アプリのダウンロード要求（以下、データダウンロード要求）、ならびに携帯種別ＩＤ及びナビ種別ＩＤを受信し、そのデータダウンロード要求と携帯種別ＩＤ及びナビ種別ＩＤをサーバ側制御部５３に入力する。また、サーバ側通信部５１は、サーバ側制御部５３の指示に従って、サーバ側制御部５３から送られてくる携帯用アプリ及びナビ用アプリをナビゲーション装置３に送信する。
【００４７】
アプリ格納部５２は、前述の携帯用アプリ及びナビ用アプリを記憶している。よって、アプリ格納部５２が請求項の記憶部に相当する。詳しくは、携帯用アプリ及びナビ用アプリは、オーディオ機器２やナビゲーション装置３の各設定処理と携帯電話機１のタッチパネル部１３における複数のボタン表示とを個々に対応付け、オーディオ機器２やナビゲーション装置３の各設定処理の内容を端的に表す表示とそれぞれ一体となった複数のボタン表示をタッチパネル部１３に行わせるとともに、それらのボタン表示に対する操作状態にオーディオ機器２やナビゲーション装置３の設定処理を連動させる携帯電話機１用とナビゲーション装置３用とのアプリケーションプログラムである。
【００４８】
また、携帯用アプリ及びナビ用アプリは、例えばナビゲーション装置３のメーカーや機種ごとの設定処理の種類の差に合わせたボタン表示をタッチパネル部１３に行わせるとともに、それらのボタン表示に対する操作状態にナビゲーション装置３の設定処理を連動させることが可能なように、ナビゲーション装置３のメーカーや機種ごとにアプリ格納部５２に格納されている。
【００４９】
なお、携帯用アプリ及びナビ用アプリは、携帯電話機１のメーカーや機種及びナビゲーション装置３のメーカーや機種ごとにアプリ格納部５２に格納される構成としてもよい。本実施形態では、一例として携帯電話機１のメーカー及びナビゲーション装置３のメーカーの組み合わせごとに予め用意された携帯用アプリ及びナビ用アプリがアプリ格納部５２に予め格納されているものとする。
【００５０】
サーバ側制御部５３は、通常のコンピュータとして構成されており、内部には周知のＣＰＵ、ＲＯＭ、ＲＡＭ、Ｉ／Ｏ及びこれらの構成を接続するバスライン（いずれも図示せず）が備えられている。サーバ側制御部５３は、サーバ側通信部５１、アプリ格納部５２から入力された各種情報に基づき、各種処理を実行する。
【００５１】
例えば、サーバ側制御部５３は、サーバ側通信部５１を介してナビゲーション装置３からデータダウンロード要求と携帯種別ＩＤ及びナビ種別ＩＤとの入力を受け付けると、その携帯種別ＩＤ及びナビ種別ＩＤをもとに、その携帯種別ＩＤ及びナビ種別ＩＤが示す携帯電話機１のメーカー及びナビゲーション装置３のメーカーの組み合わせに対応する携帯用アプリ及びナビ用アプリをアプリ格納部５２から読み出す。そして、読み出した携帯用アプリ及びナビ用アプリをサーバ側通信部５１に送り、サーバ側通信部５１からナビゲーション装置３に向けて送信させる。
【００５２】
図１に戻って、携帯電話機１は、ユーザに携行される一般的な携帯電話機と同様の通話機能やメール機能等を有している他に、ナビゲーション装置３との間でＢｌｕｅｔｏｏｔｈ通信を行う機能やタッチパネル機能を有している。また、本実施形態では、携帯電話機１として、例えば操作部分を画面に集約したタッチパネルを搭載したスマートフォンを想定している。なお、携帯電話機１は、請求項の携帯端末に相当する。
【００５３】
ここで、図４を用いて携帯電話機１の概略的な構成について説明を行う。なお、便宜上、タッチパネルを搭載した一般的なスマートフォンが有している機能に関する構成のうち、本発明の説明に不要なものについては説明を省略する。図４は、携帯電話機１の概略的な構成を示すブロック図である。図４に示すように携帯電話機１は、携帯側表示部１１と携帯側操作検出部１２とからなるタッチパネル部１３、携帯側音声出力部１４、携帯側Ｂｌｕｅｔｏｏｔｈ通信部（以下、携帯側ＢＴ通信部）１５、及び携帯側制御部１６を備えている。
【００５４】
携帯側表示部１１は、携帯電話機１の各種アプリに応じた画面等を表示するものであって、例えばフルカラー表示が可能なものであり、液晶ディスプレイ、有機ＥＬディスプレイ、プラズマディスプレイ等を用いて構成することができる。なお、携帯側表示部１１が請求項の表示部に相当する。
【００５５】
また、携帯側操作検出部１２は、携帯側表示部１１と一体になったタッチスイッチが用いられ、タッチ位置に対応するスイッチが操作されたことを検出する。タッチスイッチは、静電容量方式によるものであってもよいし、抵抗膜方式によるものであってもよいし、他の方式によるものであってもよい。なお、携帯側操作検出部１２が請求項の操作部に相当する。ここで、携帯側操作検出部１２として、タッチスイッチに加えてメカニカルなスイッチも用いる構成としてもよい。
【００５６】
タッチパネル部１３は、携帯側表示部１１と携帯側操作検出部１２とが一体化したものであって、携帯側制御部１６の指示に従って携帯側表示部１１の画面上に複数のボタン表示を行う。よって、タッチパネル部１３が請求項のタッチパネルに相当する。また、タッチパネル部１３は、その複数のボタン表示に対する操作が行われた場合に、操作が行われたボタン表示の位置に対応するタッチスイッチで入力を検出する。
【００５７】
携帯側音声出力部１４は、スピーカ等から構成され、携帯側制御部１６の指示に基づいて、通話相手の音声等を出力する。携帯側ＢＴ通信部１５は、ＢＴアンテナを有しており、このＢＴアンテナを介してナビゲーション装置３に対し２．４ＧＨｚ帯の電波にて信号を送信するとともに、２．４ＧＨｚ帯の電波にてナビゲーション装置３から送信されてくる信号を、ＢＴアンテナを介して受信する。例えば、携帯側ＢＴ通信部１５は、ナビゲーション装置３から送信されてくる携帯用アプリを受信して携帯側制御部１６に入力する。
【００５８】
携帯側制御部１６は、通常のコンピュータとして構成されており、内部には周知のＣＰＵ、ＲＯＭ、ＲＡＭ、Ｉ／Ｏ及びこれらの構成を接続するバスライン（いずれも図示せず）が備えられている。携帯側制御部１６は、携帯側操作検出部１２、携帯側ＢＴ通信部１５から入力された各種情報に基づき、各種処理を実行する。
【００５９】
例えば、携帯側制御部１６は、携帯側操作検出部１２で携帯電話機１とのペアリングの対象となるＢｌｕｅｔｏｏｔｈ機器を選択する入力を検出した場合に、選択されたＢｌｕｅｔｏｏｔｈ機器と携帯側ＢＴ通信部１５を介してＢｌｕｅｔｏｏｔｈ通信を行うことができるように、ペアリング処理を行う。
【００６０】
なお、ペアリング処理は、一般的なＢＴ機器同士で行われる周知のペアリング処理と同様にして行う構成とすればよい。また、本実施形態では、携帯電話機１とナビゲーション装置３とがペアリングするものとして以降の説明を行う。さらに、携帯側制御部１６は、携帯側ＢＴ通信部１５を介してナビゲーション装置３から入力された携帯用アプリに従った制御を実行する。
【００６１】
また、携帯側制御部１６は、タッチパネル部１３のタッチスイッチで入力を検出したときに、タッチ位置に対応するスイッチが操作されたことを判定し、ボタン表示に応じた処理を実行する。
【００６２】
ここで、図５を用いて、車載機器操作システム１００における携帯電話機１のタッチパネル部１３のボタン表示に対する操作状態にナビゲーション装置３の各設定処理を連動させる処理に関連する処理についての詳細な説明を行う。なお、図５は、車載機器操作システム１００における携帯電話機１とナビゲーション装置３とサーバ装置５との間でのデータの流れの一例を示すシーケンス図である。
【００６３】
まず、携帯電話機１とのペアリングの対象となるＢｌｕｅｔｏｏｔｈ機器を選択するユーザからの入力を携帯電話機１の携帯側操作検出部１２で検出したとき（図中のｔ１）に、携帯電話機１の携帯側制御部１６が、携帯電話機１の携帯側ＢＴ通信部１５とナビゲーション装置３のナビ側ＢＴ通信部４３との接続設定を開始し、携帯側制御部１６とナビゲーション装置３のナビ側制御部４５とでペアリング処理を行う（図中のｔ２）。
【００６４】
続いて、携帯電話機１とナビゲーション装置３とがペアリングし、携帯側ＢＴ通信部１５とナビ側ＢＴ通信部４３との間でＢｌｕｅｔｏｏｔｈ通信が確立した後に、携帯電話機１の携帯側制御部１６が、携携帯側ＢＴ通信部１５から前述の携帯種別ＩＤをＢｌｕｅｔｏｏｔｈ通信でナビゲーション装置３に送信させる（図中のｔ３）。
【００６５】
そして、携帯側ＢＴ通信部１５から送信されてくる携帯種別ＩＤをナビ側ＢＴ通信部４３が受信した後に、ナビゲーション装置３のナビ側制御部４５が、この携帯種別ＩＤに加えて前述のナビ種別ＩＤを、携帯用アプリ及びナビ用アプリの送信を要求するデータダウンロード要求とともに、ナビ側サーバ通信部４４からサーバ装置５に送信させる（図中のｔ４）。
【００６６】
上記携帯種別ＩＤ及びナビ種別ＩＤとダウンロード要求とをサーバ装置５のサーバ側通信部５１で受信すると、サーバ側制御部５３が、その携帯種別ＩＤ及びナビ種別ＩＤが示す携帯電話機１のメーカー及びナビゲーション装置３のメーカーの組み合わせに対応する携帯用アプリ及びナビ用アプリをアプリ格納部５２から読み出す（図中のｔ５）。そして、読み出した携帯用アプリ及びナビ用アプリをサーバ側通信部５１に送り、サーバ側通信部５１からナビゲーション装置３に送信させる（図中のｔ６）。
【００６７】
サーバ側通信部５１から送信されてくる携帯用アプリ及びナビ用アプリをナビ側サーバ通信部４４が受信（つまり、ダウンロード）した後に、ナビゲーション装置３のナビ側制御部４５が、ナビ用アプリを例えば外部メモリ４２に格納する（図中のｔ７）。よって、ナビ側サーバ通信部４４が請求項の車載側アプリケーション取得部に相当する。また、ナビ側制御部４５は、受信した携帯用アプリをナビ側ＢＴ通信部４３からＢｌｕｅｔｏｏｔｈ通信で携帯電話機１に送信させる（図中のｔ８）。よって、ナビ側ＢＴ通信部４３が請求項の車載側アプリケーション送信部に相当する。
【００６８】
なお、一旦携帯用アプリ及びナビ用アプリをダウンロードした後は、同一の携帯電話機１との組み合わせについては、ナビ側制御部４５がその携帯用アプリ及びナビ用アプリを再度ダウンロードしないようにする構成としてもよい。ここで、同一の携帯電話機１であるか否かの判別については、個々の携帯電話機１に固有な識別情報（例えばＩＤや携帯電話番号）をペアリング時に記憶しておき、Ｂｌｕｅｔｏｏｔｈ通信が確立中の携帯電話機１の識別情報と記憶しておいた識別情報とを比較することによって行う構成とすればよい。
【００６９】
続いて、ナビ側ＢＴ通信部４３から送信されてくる携帯用アプリを携帯側ＢＴ通信部１５が受信すると、携帯側制御部１６がその携帯用アプリに従った制御を実行する。始めに、携帯側制御部１６は、その携帯用アプリに従って、オーディオ機器２やナビゲーション装置３の各設定処理の内容を端的に表す表示とそれぞれ一体となった複数のボタン表示をタッチパネル部１３（詳しくは携帯側表示部１１）に行わせる（図中のｔ１０）。なお、受信した携帯用アプリは、例えば携帯側制御部１６のＥＥＰＲＯＭ等の不揮発性メモリに格納（図中のｔ９）し、必要なときに読み出して利用する構成とすればよい。
【００７０】
ここで、図６（ａ）〜図７（ｂ）を用いて、タッチパネル部１３でのボタン表示の一例について説明を行う。図６（ａ）は、タッチスイッチとして前述の「設定」スイッチ、「車両情報」スイッチ、「ＮＡＶＩ」スイッチ、及び「ＡＵＤＩＯ」スイッチを有するナビゲーション装置３のナビ側表示部４０でのボタン表示の一例である。また、図６（ｂ）は、そのナビゲーション装置３に対応して、設定モード、車両情報モード、ＮＡＶＩモード、及びＡＵＤＩＯモードのいずれかのモードを選択するための携帯電話機１のタッチパネル部１３でのボタン表示の一例である。
【００７１】
図６（ｂ）のボタン表示においては、設定モードを選択するボタン表示には、設定モードを選択することを端的に表す表示として「設定」という文字が一体となっている。なお、車両情報モードについは「車両情報」という文字、ＮＡＶＩモードについては「ＮＡＶＩ」という文字、ＡＵＤＩＯモードについては「ＡＵＤＩＯ」という文字がボタン表示と一体となっている。
【００７２】
また、図７（ａ）は、タッチスイッチとして「車両情報」スイッチを有さない一方、「設定」スイッチ、「ＮＡＶＩ」スイッチ及び、「ＡＵＤＩＯ」スイッチを有するナビゲーション装置３のナビ側表示部４０でのボタン表示の一例である。また、図７（ｂ）は、そのナビゲーション装置３において、設定モード、ＮＡＶＩモード、及びＡＵＤＩＯモードのいずれかのモードを選択するための携帯電話機１のタッチパネル部１３でのボタン表示の一例である。なお、図７（ｂ）のボタン表示においては、設定モードを選択するボタン表示には「設定」という文字、ＮＡＶＩモードについては「ＮＡＶＩ」という文字、ＡＵＤＩＯモードについては「ＡＵＤＩＯ」という文字が一体となっている。
【００７３】
例えば、携帯電話機１とペアリング中のナビゲーション装置３が、「設定」スイッチ、「車両情報」スイッチ、「ＮＡＶＩ」スイッチ、及び「ＡＵＤＩＯ」スイッチを有するナビゲーション装置３である場合には、携帯用アプリに従って図６（ｂ）に示すようなパターンのボタン表示を行う構成となる。また、携帯電話機１とペアリング中のナビゲーション装置３が、「設定」スイッチ、「車両情報」スイッチ、「ＮＡＶＩ」スイッチ、及び「ＡＵＤＩＯ」スイッチのうちの「車両情報」スイッチを有さないナビゲーション装置３である場合には、携帯用アプリに従って図７（ｂ）に示すようなパターンのボタン表示を行う構成となる。
【００７４】
続いて、携帯電話機１のタッチパネル部１３のボタン表示を操作するユーザからの入力を、そのボタン表示の位置に対応するタッチスイッチで受け付けたとき（図中のｔ１１）に、携帯側制御部１６が、携帯用アプリに従って、操作が行われたボタン表示に応じた選択処理を実行させる指示（以下、選択処理実行指示）を携帯側ＢＴ通信部１５からナビゲーション装置３に送信させる。一例として、ＡＵＤＩＯモードを選択するボタン表示の操作が行われた場合には、ＡＵＤＩＯモードを選択する選択処理を実行させる選択処理実行指示を携帯電話機１からナビゲーション装置３に送信する（図中のｔ１２）ことになる。
【００７５】
一方、携帯側ＢＴ通信部１５から送信されてくる選択処理実行指示をナビ側ＢＴ通信部４３が受信すると、ナビ側制御部４５がナビ用アプリに従って、その設定処理実行指示に従った制御を実行（つまり、設定処理実行）する（図中のｔ１３）。一例として、ＡＵＤＩＯモードを選択する設定処理を実行させる設定処理実行指示を受信した場合には、ＡＵＤＩＯモードに切り替える制御を実行する。
【００７６】
そして、ナビ側制御部４５がその選択処理実行指示に従った制御を実行すると、ナビ側制御部４５がナビ用アプリに従って、その選択処理実行指示に従った制御を実行したことを示す情報（以下、ナビ側動作情報）をナビ側ＢＴ通信部４３から携帯電話機１に送信させる（図中のｔ１４）。一例として、ＡＵＤＩＯモードに切り替える制御を実行した場合には、ＡＵＤＩＯモードに切り替える制御を実行したことを示すナビ側動作情報をナビゲーション装置３から携帯電話機１に送信することになる。
【００７７】
続いて、ナビ側ＢＴ通信部４３から送信されてくるナビ側動作情報を携帯側ＢＴ通信部１５が受信すると、携帯側制御部１６が携帯用アプリに従って、そのナビ側動作情報に従った制御を実行する。一例として、ＡＵＤＩＯモードに切り替える制御を実行したことを示すナビ側動作情報を受信した場合には、例えば図８（ａ）に示すようなナビ側表示部４０でのボタン表示に対して、図８（ｂ）に示すようなボタン表示をタッチパネル部１３に行わせる（図中のｔ１５）。
【００７８】
図８（ａ）は、オーディオソースとしてＣＤを選択するための「ＣＤ」スイッチ、ラジオを選択するための「ＲＡＤＩＯ」スイッチ、及びＨＤＤを選択するための「ＨＤＤ」スイッチを有するナビゲーション装置３のナビ側表示部４０でのボタン表示の一例である。また、図８（ｂ）は、そのナビゲーション装置３に対応して、オーディオソースとしてＣＤ、ラジオ、及びＨＤＤを選択する設定処理を行うための携帯電話機１のタッチパネル部１３でのボタン表示の一例である。
【００７９】
図８（ｂ）のボタン表示においては、オーディオソースを選択するボタン表示には、ＣＤを選択することを端的に表す表示として「ＣＤ」という文字が一体となっている。なお、ラジオについは「ＲＡＤＩＯ」という文字、ＨＤＤについては「ＨＤＤ」という文字がボタン表示と一体となっている。
【００８０】
その後も、前述したのと同様にして、携帯電話機１とナビゲーション装置３とのＢｌｕｅｔｏｏｔｈ通信による接続が解消されるまで、携帯用アプリおよびナビ用アプリに従って、タッチパネル部１３におけるボタン表示に対する操作状態にオーディオ機器２やナビゲーション装置３の操作画面の表示を連動させる制御を繰り返しつつ、タッチパネル部１３のスイッチ操作により、ナビゲーション装置３に対して所定の機能の実行が指示された場合には、ナビゲーション装置３は指示された機能を実行する。
【００８１】
また、ここでは、ＡＵＤＩＯモードを選択した場合の一例として、タッチパネル部１３にオーディオソースを選択するボタン表示が行われる例を示したが、ＮＡＶＩモードを選択した場合には、タッチパネル部１３に例えばナビゲーション機能としての各種機能の設定操作を行うためのボタン表示が行われる。なお、ナビゲーション機能としての各種機能の設定操作を行うためのボタン表示の一例としては、表示する地図の縮尺を大きくする「広域」、表示する地図の縮尺を小さくする「詳細」、案内経路の表示に戻る「現在地」、案内経路を再探索する「再探索」などがある。
【００８２】
以上の構成によれば、サーバ装置５から携帯種別ＩＤ及びナビ種別ＩＤに応じた携帯用アプリ及びナビ用アプリを携帯電話機１およびナビゲーション装置３が取得するので、ユーザが異なる車両に乗り換え、操作方法を覚えていないオーディオ機器２やナビゲーション装置３を使用しなければならなくなった場合であっても、乗り換え先の車両に搭載されるオーディオ機器２やナビゲーション装置３の各設定操作の処理内容を端的に表す表示とそれぞれ一体となった複数のボタン表示が、携帯電話機１のタッチパネル部１３に表示されることになる。
【００８３】
また、以上の構成によれば、ボタン表示に対する操作状態にオーディオ機器２やナビゲーション装置３の操作画面の表示を連動させるとともに、タッチパネル部１３のスイッチ操作により、ナビゲーション装置３に対して所定の機能の実行が指示された場合には、ナビゲーション装置３は指示された機能を実行するので、ユーザは、設定操作の処理内容を端的に表す表示を頼りにボタン表示を操作するだけで、そのボタン表示に対応するナビゲーション装置３の設定操作を行うことができる。従って、ユーザがオーディオ機器２やナビゲーション装置３の操作方法を覚えていない場合であっても、それらの車載機器を容易に設定操作することが可能となる。
【００８４】
なお、前述の実施形態では、ナビゲーション装置３のメーカーや機種ごとの携帯用アプリ及びナビ用アプリをサーバ装置５のアプリ格納部５２に予め格納しておき、ナビゲーション装置３のメーカーや機種ごとの携帯用アプリを携帯電話機１で取得し、ナビゲーション装置３のメーカーや機種ごとに応じたボタン表示をタッチパネル部１３に行わせる構成を示したが、必ずしもこれに限らない。
【００８５】
例えば、複数のメーカーや機種のナビゲーション装置３の各機能の処理（設定処理）を、処理内容が同一のもの同士については、タッチパネル部１３における同一のボタン表示に対応付ける一方、処理内容が異なるもの同士については、タッチパネル部１３における別々のボタン表示にそれぞれ対応付ける携帯用アプリ（以下、普遍携帯用アプリ）及びナビ用アプリ（以下、普遍ナビ用アプリ）をアプリ格納部５２に予め格納しておく構成としてもよい。
【００８６】
また、ここで言うところの処理内容が同一とは、複数種類のナビゲーション装置３間での処理を表す表現も処理内容も同一の場合だけでなく、処理を表す表現が違うが、処理内容は実質的に同一である場合も含むものとする。例えば、複数種類のナビゲーション装置３間で、地図の縮尺を大小させる設定操作を行うためのスイッチに用いる表示として「広域」及び「詳細」を用いたり、「−」及び「＋」を用いたりする場合であっても、処理の内容自体は地図の縮尺を大小させることで共通している場合が例に挙げられる。
【００８７】
なお、普遍携帯用アプリ及び普遍ナビ用アプリも、ナビゲーション装置３の各機能の処理の内容を端的に表す表示とそれぞれ一体となった複数のボタン表示を携帯電話機１のタッチパネル部１３に行わせるとともに、タッチパネル部１３のボタン表示に対する操作状態にオーディオ機器２やナビゲーション装置３の機能の処理を連動させるものであるとする。なお、オーディオ機器２やナビゲーション装置３の機能の処理が請求項の設定処理に相当する。
【００８８】
ここで、図９を用いて、普遍携帯用アプリを用いる構成とした場合のタッチパネル部１３のボタン表示についての説明を行う。また、ここでは、図６（ａ）で示したようなナビ側表示部４０でのボタン表示を行うナビゲーション装置３（以下、ナビＡ）と図７（ａ）で示したようなナビ側表示部４０でのボタン表示を行うナビゲーション装置３（以下、ナビＢ）との各機能の処理を対応付けた普遍携帯用アプリを用いる場合を例に挙げて説明を行う。
【００８９】
本例では、ナビＡとナビＢとの各機能の処理を対応付けた普遍携帯用アプリを用いるので、ナビＡとナビＢとの両方に存在する設定モード、ＮＡＶＩモード、ＡＵＤＩＯモードを選択する選択処理については、タッチパネル部１３における同一のボタン表示にそれぞれ対応付けられることになる。一方、ナビＡには存在するがナビＢには存在しない車両情報モードを選択する選択処理については、ナビＡについてのみタッチパネル部１３におけるボタン表示に対応付けられることになる。
【００９０】
ナビＡについては、上述したようにタッチパネル部１３における全ボタン表示に対応付けられるので、図６（ｂ）に示すように、設定モードを選択するボタン表示、車両情報モードを選択するボタン表示、ＮＡＶＩモードを選択するボタン表示、ＡＵＤＩＯモードを選択するボタン表示の４つのボタン表示を行うようにすればよい。
【００９１】
また、ナビＢについては、上述したように車両情報モードを選択するボタン表示には対応付けられていないので、図９に示すように、設定モードを選択するボタン表示、ＮＡＶＩモードを選択するボタン表示、ＡＵＤＩＯモードを選択するボタン表示の３つのボタン表示を行う一方、車両情報モードを選択するボタン表示についてはグレーアウトすることによって、ナビＢで行うことができない設定操作が一目でわかるようにすればよい。
【００９２】
以上の構成によれば、１種類の普遍携帯用アプリによって、複数種類のナビゲーション装置３間で共通する設定操作に対応するボタン表示に加え、複数種類のナビゲーション装置３間で共通しない設定操作に対応するボタン表示も行うことが可能になる。よって、対象とするナビゲーション装置３が切り替わった場合であっても、１種類の普遍携帯用アプリによって、対象とするナビゲーション装置３の設定操作に必要なだけのボタン表示を行うことが可能になる。
【００９３】
また、対象とするナビゲーション装置３が変わるごとに携帯用アプリ及びナビ用アプリを取得する必要がなくなるので、携帯用アプリ及びナビ用アプリを取得するのにかかる通信のコストを抑えることができる。さらに、ナビゲーション装置３が変わるごとに携帯用アプリ及びナビ用アプリを取得する時間をとられることがなくなるので、利便性も向上する。
【００９４】
なお、対象とする車載機器で行うことができない設定操作が一目でわかるようにする方法としては、前述のグレーアウトのように、設定操作の処理内容を端的に表す表示を見にくくするマスクを行う方法を用いてもよいし、設定操作の処理内容を端的に表す表示を隠すマスクを行う方法を用いてもよい。
【００９５】
また、前述の実施形態では、携帯用アプリ及びナビ用アプリをナビゲーション装置３で一旦受信した後に、ナビゲーション装置３から携帯電話機１に携帯用アプリを送信することによって、携帯電話機１とナビゲーション装置３とのそれぞれにアプリケーションプログラムを持たせる構成を示したが、必ずしもこれに限らない。例えば、携帯用アプリ及びナビ用アプリを携帯電話機（携帯電話機１ａとする）で一旦受信した後に、携帯電話機１ａからナビゲーション装置３にナビ用アプリを送信することによって、携帯電話機１ａとナビゲーション装置３とのそれぞれにアプリケーションプログラムを持たせる構成としてもよい。
【００９６】
なお、この場合には、携帯電話機１ａがナビゲーション装置３からナビ種別ＩＤを取得し、携帯電話機１ａからサーバ装置５に携帯種別ＩＤ及びナビ種別ＩＤを送信して、その携帯種別ＩＤ及びナビ種別ＩＤに対応する携帯用アプリ及びナビ用アプリを携帯電話機１ａがサーバ装置５から取得する構成とすればよい。
【００９７】
以下では、携帯電話機１が携帯用アプリ及びナビ用アプリをサーバ装置５から取得する実施形態について図面を用いて説明を行う。図１０は、本発明が適用された車載機器操作システム２００の概略的な構成を示す図である。なお、説明の便宜上、前述の実施形態の説明に用いた図に示した部材と同一の機能を有する部材については、同一の符号を付し、その説明を省略する。図１０に示す車載機器操作システム２００は、携帯電話機１ａ、オーディオ機器２、ナビゲーション装置３、及びサーバ装置５を含んでいる。
【００９８】
携帯電話機１ａは、ユーザに携行される一般的な携帯電話機と同様の通話機能やメール機能等を有している他に、ナビゲーション装置３との間でＢｌｕｅｔｏｏｔｈ通信を行う機能やインターネット等の通信網に接続する機能やタッチパネル機能を有している。また、本実施形態では、携帯電話機１ａとして、例えば操作部分を画面に集約したタッチパネルを搭載したスマートフォンを想定するものとする。なお、携帯電話機１ａは、請求項の携帯端末に相当する。
【００９９】
ここで、図１１を用いて携帯電話機１ａの概略的な構成について説明を行う。図１１は、携帯電話機１ａの概略的な構成を示すブロック図である。図１１に示すように携帯電話機１ａは、携帯側表示部１１と携帯側操作検出部１２とからなるタッチパネル部１３、携帯側音声出力部１４、携帯側ＢＴ通信部１５、携帯側制御部１６、及び携帯側サーバ通信部１７を備えている。なお、携帯電話機１ａは、携帯側サーバ通信部１７を備えている点と携帯側制御部１６の一部の処理が異なる点を除けば携帯電話機１と同様の構成である。
【０１００】
携帯側サーバ通信部１７は、携帯電話網やインターネット等の通信網を介してサーバ装置５と通信を行う。詳しくは、携帯側サーバ通信部１７は、サーバ装置５にデータダウンロード要求と携帯種別ＩＤ及びナビ種別ＩＤとの送信を行い、携帯種別ＩＤ及びナビ種別ＩＤに応じた携帯用アプリ及びナビ用アプリを受信（つまり、ダウンロード）して、携帯側制御部１６に入力する。
【０１０１】
携帯側制御部１６は、ペアリング中のナビゲーション装置３から携帯側ＢＴ通信部１５を介してナビ種別ＩＤを取得するとともに、例えば携帯側制御部１６のＲＯＭ等のメモリに格納されている携帯種別ＩＤを読み出し、携帯側サーバ通信部１７からサーバ装置５に送信させる。
【０１０２】
また、携帯側制御部１６は、携帯用アプリ及びナビ用アプリが携帯側サーバ通信部１７から入力されたときに、携帯電話機１とナビゲーション装置３とがペアリング中であった場合は、その携帯用アプリ及びナビ用アプリのうちのナビ用アプリを携帯側ＢＴ通信部１５に送り、ナビゲーション装置３に送信させる。よって、携帯側サーバ通信部１７が請求項の携帯側アプリケーション取得部に相当し、携帯側ＢＴ通信部１５が請求項の携帯側アプリケーション送信部に相当する。なお、ナビゲーション装置３では、そのナビ用アプリに従った制御が実行されることになる。また、携帯側制御部１６は、携帯側サーバ通信部１７を介してサーバ装置５から入力された携帯用アプリに従った制御を実行する。
【０１０３】
以上の構成によれば、ナビゲーション装置３にサーバ装置５との間で通信を行う手段を設ける必要がなくなる。インターネットに接続する機能は携帯電話機では一般的な機能であるので、以上の構成によれば、汎用性を向上させることができる。
【０１０４】
なお、前述の実施形態では、携帯電話機１とナビゲーション装置３との間での双方向通信にＢｌｕｅｔｏｏｔｈ通信を用いる構成を示したが、必ずしもこれに限らない。例えば、Ｗｉ−ｆｉ（登録商標）などの他の無線通信を用いる構成としてもよいし、ＵＳＢ通信などの有線通信を用いる構成としてもよい。
【０１０５】
また、前述の実施形態では、請求項の携帯端末として携帯電話機１を例に挙げて説明を行ったが、必ずしもこれに限らない。例えば、ナビゲーション装置３と通信が可能であるとともにタッチパネル機能を有している携帯端末でありさえすれば、例えばＰＤＡ（Personal Digital Assistant）等を用いる構成としてもよい。
【０１０６】
なお、前述の実施形態では、請求項の車載機器としてオーディオ機器２やナビゲーション装置３を例に挙げて説明を行ったが、必ずしもこれに限らない。例えば、メータやエアコン等の車両に搭載される他の機器を請求項の車載機器として用いる構成としてもよい。
【０１０７】
また、携帯電話機１やサーバ装置５との間で通信を行うための手段を持たないメータやエアコン等の車両に搭載される機器については、ナビゲーション装置３やＤＣＭ等の通信モジュールを介して通信を行う構成とすればよい。この場合、携帯電話機１やサーバ装置５との間で通信を行うための手段を持たない機器とナビゲーション装置３や通信モジュールとを含めた構成が請求項の車載機器に相当することになる。
【０１０８】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１０９】
１  携帯電話機（携帯端末）、２  オーディオ機器（車載機器）、３  ナビゲーション装置（車載機器）、４  サーバ装置、１１  携帯側表示部（表示部）、１２  携帯側操作検出部（操作部）、１３  タッチパネル部（タッチパネル）、１４  携帯側音声出力部、１５  携帯側ＢＴ通信部（携帯側アプリケーション送信部）、１６  携帯側制御部、１７  携帯側サーバ通信部（携帯側アプリケーション取得部）３１  位置検出器、３６  地図データ入力器、３７  ナビ側操作スイッチ群（スイッチ）、３８  リモコン（スイッチ）、３９  リモコンセンサ、４０  ナビ側表示部、４１  ナビ側音声出力部、４２  外部メモリ、４３  ナビ側ＢＴ通信部（車載側アプリケーション送信部）、４４  ナビ側サーバ通信部（車載側アプリケーション取得部）、４５  ナビ側制御部、５１  サーバ側通信部、５２  アプリ格納部（記憶部）、５３  サーバ側制御部、１００  車載機器操作システム
【図１】
0005408082.tif 000002
【図２】
0005408082.tif 000003
【図３】
0005408082.tif 000004
【図４】
0005408082.tif 000005
【図５】
0005408082.tif 000006
【図６】
0005408082.tif 000007
【図７】
0005408082.tif 000008
【図８】
0005408082.tif 000009
【図９】
0005408082.tif 000010
【図１０】
0005408082.tif 000011
【図１１】
0005408082.tif 000012